【手続補正書】
【提出日】平成16年9月30日(2004.9.30)
【手続補正１】
【補正対象書類名】明細書
【補正対象項目名】発明の名称
【補正方法】変更
【補正の内容】
【発明の名称】監視カメラ装置および監視カメラ用制御方法
【手続補正２】
【補正対象書類名】明細書
【補正対象項目名】特許請求の範囲
【補正方法】変更
【補正の内容】
【特許請求の範囲】
【請求項１】
カメラ玄関子機と、複数の監視カメラと、それぞれの監視カメラに対応する複数のセンサーと、モニタテレビと、インターホンまたはテレビドアホンと、これらを接続して制御するカメラ制御装置とから構成される監視カメラ装置であって、前記カメラ制御装置は、前記カメラ玄関子機からの着信または前記センサーからの入力に対して、前記インターホンまたは前記テレビドアホンへ着信呼出をするか否かを選択する切換選択手段を備えたことを特徴とする監視カメラ装置。
【請求項２】
カメラ玄関子機と、複数の監視カメラと、それぞれの監視カメラに対応する複数のセンサーと、モニタテレビと、インターホンまたはテレビドアホンと、これらを接続して制御するカメラ制御装置とから構成される監視カメラ装置であって、前記カメラ制御装置は、前記カメラ玄関子機からの着信時、および前記カメラ玄関子機との通話中時は、前記モニタテレビに対して音声ミュートをかけ、映像は確認できるが音声は漏れないように制御する制御手段を備えたことを特徴とする監視カメラ装置。
【請求項３】
カメラ玄関子機と、複数の監視カメラと、それぞれの監視カメラに対応する複数のセンサーと、モニタテレビと、インターホンまたはテレビドアホンと、これらを接続して制御するカメラ制御装置とから構成される監視カメラ装置であって、前記カメラ制御装置は、前記テレビドアホンと通話中にセンサー入力があると、このセンサーに対応する監視カメラに切り換えるが通話はそのまま継続とし、前記モニタテレビの画面上に前記センサー入力に対応する監視カメラ番号を示す表示と、通話がカメラ玄関子機であることを示す表示を行なわせる表示手段を有することを特徴とする監視カメラ装置。
【請求項４】
カメラ玄関子機と、複数の監視カメラと、それぞれの監視カメラに対応する複数のセンサーと、モニタテレビと、インターホンまたはテレビドアホンと、これらを接続して制御するカメラ制御装置とから構成される監視カメラ装置において、前記カメラ玄関子機からの着信または前記センサーからの入力に対して、前記インターホンまたは前記テレビドアホンへ着信呼出をするか否かを選択する切換選択ステップを有する監視カメラ用制御方法。
【請求項５】
カメラ玄関子機と、複数の監視カメラと、それぞれの監視カメラに対応する複数のセンサーと、モニタテレビと、インターホンまたはテレビドアホンと、これらを接続して制御するカメラ制御装置とから構成される監視カメラ装置において、前記カメラ玄関子機からの着信時、および前記カメラ玄関子機との通話中時は、前記モニタテレビに対して音声ミュートをかけ、映像は確認できるが音声は漏れないように制御する制御ステップを有する監視カメラ用制御方法。
【請求項６】
カメラ玄関子機と、複数の監視カメラと、それぞれの監視カメラに対応する複数のセンサーと、モニタテレビと、インターホンまたはテレビドアホンと、これらを接続して制御するカメラ制御装置とから構成される監視カメラ装置において、前記テレビドアホンと通話中にセンサー入力があると、このセンサーに対応する監視カメラに切り換えるが通話はそのまま継続とし、前記モニタテレビの画面上に前記センサー入力に対応する監視カメラ番号を示す表示と、通話がカメラ玄関子機であることを示す表示を行なわせる表示ステップを有する監視カメラ用制御方法。
【手続補正３】
【補正対象書類名】明細書
【補正対象項目名】０００４
【補正方法】変更
【補正の内容】
【０００４】
このように従来の監視カメラ装置においては、例えば、カメラ無しドアホン（玄関子機）を接続しただけの場合には、その近傍に監視カメラを接続しないとインターホン（室内親機）ではその映像をモニタテレビを見ながら通話することができなかった。また、テレビドアホンモニター親機では、監視カメラのモニタ（映像・音声）のみが可能であるに過ぎなかった。さらにカメラ玄関子機の映像は、カメラ制御装置に接続してあるモニタテレビでは見ることができなかった。
【手続補正４】
【補正対象書類名】明細書
【補正対象項目名】０００８
【補正方法】変更
【補正の内容】
【０００８】
【発明の実施の形態】
本発明の請求項１に記載される発明は、カメラ玄関子機と、複数の監視カメラと、それぞれの監視カメラに対応する複数のセンサーと、モニタテレビと、インターホンまたはテレビドアホンと、これらを接続して制御するカメラ制御装置とから構成される監視カメラ装置において、カメラ制御装置が、カメラ玄関子機からの着信またはセンサーからの入力に対して、インターホンまたはテレビドアホンへ着信呼出をするか否かを選択する切換選択手段を備えたことを特徴とするものであり、カメラ玄関子機がカメラ制御装置を介してテレビドアホン又はインターホンと双方向の通信（会話）を行なうことができるという作用を有する。
【手続補正５】
【補正対象書類名】明細書
【補正対象項目名】０００９
【補正方法】変更
【補正の内容】
【０００９】
また、本発明の請求項２に記載される発明は、カメラ玄関子機と、複数の監視カメラと、それぞれの監視カメラに対応する複数のセンサーと、モニタテレビと、インターホンまたはテレビドアホンと、これらを接続して制御するカメラ制御装置とから構成される監視カメラ装置において、カメラ制御装置が、カメラ玄関子機からの着信時、およびカメラ玄関子機との通話中時は、モニタテレビに対して音声ミュートをかけ、映像は確認できるが音声は漏れないように制御する制御手段を備えたことを特徴とするものであり、カメラ玄関子機からの着信時および通話中時は音声ミュートをかけることができるという作用を有する。
【手続補正６】
【補正対象書類名】明細書
【補正対象項目名】００１０
【補正方法】変更
【補正の内容】
【００１０】
また、本発明の請求項３に記載される発明は、カメラ玄関子機と、複数の監視カメラと、それぞれの監視カメラに対応する複数のセンサーと、モニタテレビと、インターホンまたはテレビドアホンと、これらを接続して制御するカメラ制御装置とから構成される監視カメラ装置において、カメラ制御装置は、テレビドアホンと通話中にセンサー入力があると、このセンサーに対応する監視カメラに切り換えるが通話はそのまま継続とし、モニタテレビの画面上にセンサー入力に対応する監視カメラ番号を示す表示と、通話がカメラ玄関子機であることを示す表示を行なわせる表示手段を有することを特徴とするものであり、通話中にセンサー入力があると、センサー近傍の監視カメラに切り換えることができるとともにセンサー入力が有った近傍の監視カメラ番号を表示できるという作用を有する。
【手続補正７】
【補正対象書類名】明細書
【補正対象項目名】００１１
【補正方法】変更
【補正の内容】
【００１１】
また、本発明の請求項４に記載される発明は、カメラ玄関子機と、複数の監視カメラと、それぞれの監視カメラに対応する複数のセンサーと、モニタテレビと、インターホンまたはテレビドアホンと、これらを接続して制御するカメラ制御装置とから構成される監視カメラ装置において、カメラ玄関子機からの着信またはセンサーからの入力に対して、インターホンまたはテレビドアホンへ着信呼出をするか否かを選択する切換選択ステップを有する監視カメラ用制御方法であり、カメラ玄関子機とテレビドアホン又はインターホンとの双方向の通信（会話）を行なうことができるという作用を有する。
【手続補正８】
【補正対象書類名】明細書
【補正対象項目名】００１２
【補正方法】変更
【補正の内容】
【００１２】
また、本発明の請求項５に記載される発明は、カメラ玄関子機と、複数の監視カメラと、それぞれの監視カメラに対応する複数のセンサーと、モニタテレビと、インターホンまたはテレビドアホンと、これらを接続して制御するカメラ制御装置とから構成される監視カメラ装置において、カメラ玄関子機からの着信時、およびカメラ玄関子機との通話中時は、モニタテレビに対して音声ミュートをかけ、映像は確認できるが音声は漏れないように制御する制御ステップを有する監視カメラ用制御方法であり、カメラ玄関子機からの着信時および通話中時は音声ミュートをかけることができるという作用を有する。
【手続補正９】
【補正対象書類名】明細書
【補正対象項目名】００１３
【補正方法】変更
【補正の内容】
【００１３】
また、本発明の請求項６に記載される発明は、カメラ玄関子機と、複数の監視カメラと、それぞれの監視カメラに対応する複数のセンサーと、モニタテレビと、インターホンまたはテレビドアホンと、これらを接続して制御するカメラ制御装置とから構成される監視カメラ装置において、テレビドアホンと通話中にセンサー入力があると、このセンサーに対応する監視カメラに切り換えるが通話はそのまま継続とし、モニタテレビの画面上にセンサー入力に対応する監視カメラ番号を示す表示と、通話がカメラ玄関子機であることを示す表示を行なわせる表示ステップを有する監視カメラ用制御方法であり、通話中にセンサー入力があると、センサー近傍の監視カメラに切り換えることができるとともにセンサー入力が有った近傍の監視カメラ番号を表示できるという作用を有する。